(57)【特許請求の範囲】
【請求項１】
直方体形状の箱本体１と、この箱本体１に収容された仕切り２から構成されるカートンであって、
箱本体１が、底部１１、天板１２、後板１３、前板１４、左右両側板１５，１６で構成されており、
これら天板１２、左右両側板１５，１６及び前板１４を通る切り取り線ｂが設けられて、この切り取り線ｂから上の部分を切断除去できるように構成されており、かつ、この切り取り線ｂから上の部分を切断除去したとき、箱本体１に上方斜め方向を向いた開口が形成されるように構成されており、
前記仕切り２は折り曲げ線ａ６で連接された左仕切り片と右仕切り片とから成り、左仕切り片及び右仕切り片のそれぞれに、折り曲げ線を介して、位置決め用紙片が設けられていて、左仕切り片に設けられた位置決め用紙片と右仕切り片に設けられた位置決め用紙片との幅の合計が前板１４の幅と略同一であり、この仕切り２が、箱本体１の内部を左右に等分する位置に配置されていることを特徴とする輸送用兼展示用カートン。
【請求項２】
前記前板１４に折り曲げ線を介して上面保護片１４１が設けられており、この上面保護片１４１が天板１２とほぼ同一の面積及び形状を有することを特徴とする請求項１に記載の輸送用兼展示用カートン。
【発明の詳細な説明】
【技術分野】
【０００１】
本発明は、円錐状の商品を梱包して輸送する紙製カートンでありながら、その商品を店頭にて展示する際に、その商品の展示台とすることができる紙製カートンに関するものである。
【背景技術】
【０００２】
円錐状の商品を陳列展示する場合には、これら商品をリング状に配列して差し込むハンガー式専用什器を使用していることが多い。しかし、この場合には、輸送用カートンとは別に専用什器を用意する必要があり、しかも、壁などから吊り下げることになるから、その展示方法も限られるという問題がある。
【０００３】
輸送用カートンを展示台として使用する方法として、この輸送用カートンの底板に商品差込用の穴を設け、輸送用カートンを転倒させて底板を上面に位置させ、この底板の穴に商品を差し込んで展示する方法が知られている。しかし、この方法によれば、底板が水平面を構成しているため、奥に配置された商品を取り出しにくい、商品を水平に配列して展示するため、商品の数に応じた展示面積を必要とする、などの問題がある。
【０００４】
また、特許文献１には、カートンの天板に商品差込用の穴を設け、商品の展示の際には、この天板を自然なカーブを描くように斜めに配置し、その穴に商品を差し込んで展示する輸送用兼展示用カートンが記載されている。このカートンによれば、底板が斜めに配置されているため、奥の商品も容易に取り出すことができる。しかし、このカートンにおいても、商品の数に応じた展示面積を必要とする、という問題が残っている。
【先行技術文献】
【特許文献】
【０００５】
【特許文献１】実開昭６４−９１２５号公報
【発明の概要】
【発明が解決しようとする課題】
【０００６】
そこで、本発明は円錐状商品の形状に着目して、その輸送用カートンでありながら、少ない展示面積で多数の円錐状商品を展示でき、しかも、どの位置に配列した商品も取り出しやすい輸送用兼展示用カートンを提供することを目的とする。
【課題を解決するための手段】
【０００７】
請求項１に記載の発明は、直方体形状の箱本体１と、この箱本体１に収容された仕切り２から構成されるカートンであって、
箱本体１が、底部１１、天板１２、後板１３、前板１４、左右両側板１５，１６で構成されており、
これら天板１２、左右両側板１５，１６及び前板１４を通る切り取り線ｂが設けられて、この切り取り線ｂから上の部分を切断除去できるように構成されており、かつ、この切り取り線ｂから上の部分を切断除去したとき、箱本体１に上方斜め方向を向いた開口が形成されるように構成されており、
前記仕切り２は折り曲げ線ａ６で連接された左仕切り片と右仕切り片とから成り、左仕
切り片及び右仕切り片のそれぞれに、折り曲げ線を介して、位置決め用紙片が設けられていて、左仕切り片に設けられた位置決め用紙片と右仕切り片に設けられた位置決め用紙片との幅の合計が前板１４の幅と略同一であり、この仕切り２が、箱本体１の内部を左右に等分する位置に配置されていることを特徴とする輸送用兼展示用カートンである。
【０００８】
このカートンを商品展示用に使用するときには、まず、前記切り取り線ｂから切断して、その上の部分を切断除去する。この切り取り線ｂは左右両側板１５，１６を斜め方向にとおって設けられているから、この切り取り線ｂから上の部位が除去されると、箱本体１には、上方斜め方向を向いた開口が形成される。そして、この箱本体１には、左右に等分する位置に仕切り２が配置されているから、この仕切り２によって区分された左右の収納空間に、円錐状商品を、その円錐の頂点が奥に向くように挿入することにより、これら円錐状商品を収納することができる。そして、このとき、多数の円錐状商品を積み重ねて挿入することによって、これら円錐状商品がその円形の底面を顧客側に向けて配置され、かつ、展示されることになる。このように多数の円錐状商品を積み重ねて展示できるため、少ない展示面積で多数の円錐状商品を展示することが可能となる。また、これら多数の円錐状商品は、その底面を顧客側に向けて展示されているから、奥に配置された商品も容易に取り出すことができる。
【０００９】
次に、請求項２に記載の発明は、前記前板１４に折り曲げ線を介して上面保護片１４１が設けられており、この上面保護片１４１が天板１２とほぼ同一の面積及び形状を有することを特徴とする請求項１に記載の輸送用兼展示用カートンである。
【発明の効果】
【００１３】
本発明によれば、少ない展示面積で多数の円錐状商品を展示でき、しかも、どの位置に配列した商品も容易に取り出すことができる。
【図面の簡単な説明】
【００１４】
【図１】本発明の実施例に係る箱本体のブランクの展開図
【図２】本発明の実施例に係る仕切りの展開図
【図３】本発明の実施例に係るカートンの斜視図
【図４】本発明の実施例に係る展示方法を示す斜視図
【発明を実施するための形態】
【００１５】
本発明にかかるカートンは、箱本体１と、この箱本体１に収容された仕切り２とで構成されるものである。箱本体１は直方体の外観を有しており、板紙からなるブランクを組み立てて形成することができる。また、仕切り２も板紙からなるブランクを折り曲げて形成することができる。
【００１６】
図１は、この箱本体１のブランクを示す展開図である。すなわち、このブランクは、後板１３、左側板１５、前板１４及び右側板１６を有しており、これらは、折り曲げ線を介してこの順に連接されている。すなわち、後板１３と左側板１５とは折り曲げ線ａ１を介
して連接されている。左側板１５と前板１４とは折り曲げ線ａ２を介して連接されている。前板１４と右側板１６とは折り曲げ線ａ３を介して連接されている。後述するように、折り曲げ線ａ２の一部に切り取り線の第５の部分ｂ５が設けられており、折り曲げ線ａ３の一部に切り取り線の第６の部分ｂ６が設けられている。
【００１７】
また、右側板１６の端には折り曲げ線を介して糊代１６１が連接されており、この糊代１６１を後板１３の端部内側に接着することにより、これら後板１３、左側板１５、前板１４及び右側板１６の全体を角筒状の胴部を構成することができる。
【００１８】
次に、左側板１５の上側には、折り曲げ線ａ４を介して天板１２が設けられており、この天板１２の端には折り曲げ線を介して差し込み片１２１が設けられている。そして、この差し込み片１２１を角筒状の前記胴部に差し込むことにより、角筒状胴部の開口部の一方を封止することができる。なお、折り曲げ線ａ４の一部に切り取り線の第４の部分ｂ４が設けられている。この第４の部分ｂ４は、折り曲げ線ａ４の端から後述する第１の部分ｂ１に達するものである。
【００１９】
また、後板１３の上側には折り曲げ線を介してフラップ１３１が設けられている。この例では、後板１３とフラップ１３１の間の折り曲げ線は切り取り可能な切り取り線ｂ７によって構成されている。
【００２０】
また、前板１４の上側には折り曲げ線を介して上面保護片１４１が設けられている。この上面保護片１４１は、天板１２とほぼ同一の面積及び形状を有するもので、箱本体１に収納された商品を保護する役割を有している。すなわち、前述のように角筒状に構成された胴部の開口部にまずフラップ１３１を折り重ね、次に上面保護片１４１を折り重ね、最後に天板１２を折り重ねて差し込み片１２１を差し込んで使用する。
【００２１】
次に、後板１３、左側板１５、前板１４及び右側板１６の下側には、それぞれ折り曲げ線を介して、底部形成用片１１１，１１２，１１３，１１４が設けられている。糊代１６１を後板１３の端部内側に接着して角筒状胴部を形成した後、これら底部形成用片１１１，１１２，１１３，１１４を互いに噛み合わせることにより、底部１１を形成することができる。噛み合わせの方法は周知である。
【００２２】
次に、この箱本体１用ブランクに設けられた切り取り線について説明する。この切り取り線は、７つの直線状部分ｂ１〜ｂ７から構成されており、これら７つの直線状部分は互いにつながっていて、この切り取り線から切断することにより輸送用兼展示用カートンの上部分を除去することが可能である。そして、これら７つの直線状部分ｂ１〜ｂ７は、第７の部分ｂ７、第４の部分ｂ４、第１の部分ｂ１、第５の部分ｂ５、第３の部分ｂ３、第６の部分ｂ６、第２の部分ｂ２の順で並んでいる。
【００２３】
すなわち、切り取り線は、後板１３とフラップ１３１との境界線に設けられた第７の部分ｂ７から始まっている。この第７の部分ｂ７は、前述のように、後板１３とフラップ１３１との間の折り曲げ線の役割も有している。
【００２４】
次に、切り取り線は、この第７の部分ｂ７に接続して設けられた第４の部分ｂ４を有している。この第４の部分ｂ４は、天板１２と左側板１５との境界線上であって、端部から前記第１の部分ｂ１に至るもので、折り曲げ線ａ４の一部を構成している。
【００２５】
この第４の部分ｂ４の端から、切り取り線の第１の部分ｂ１が開始している。この第１の部分ｂ１は、第４の部分ｂ４の端から、左側板１５を斜め方向に横切って、左側板１５と前板１４との境界に至るものである。この第１の部分ｂ１は、左側板１５を切断するジ
ッパーの形態で設けられている。
【００２６】
次に、切り取り線は、この第１の部分ｂ１の端から開始する第５の部分ｂ５を有している。この第５の部分ｂ５は、左側板１５と前板１４との境界部分に沿って設けられており、折り曲げ線ａ２の一部を構成している。
【００２７】
そして、この第５の部分の端部から、前板１４を通る第３の部分ｂ３が設けられている。この第３の部分ｂ３は、天板１２を上にしてカートンを立てた場合、水平方向に前板１４を切断するものである。なお、この第３の部分ｂ３より下の位置に、複数本の折り曲げ線ａ５が設けられており、第３の部分ｂ３から切断した後、複数本のこれら折り曲げ線ａ５から選択して前板１４を折り曲げることができる。なお、この第３の部分ｂ３も、前板１４を切断するジッパーの形態で設けられている。
【００２８】
そして、切り取り線は、この第３の部分ｂ３の端から開始する第６の部分ｂ６を有している。この第６の部分ｂ６は、右側板１６と前板１４との境界部分に沿って設けられており、折り曲げ線ａ３の一部を構成している。
【００２９】
次に、第６の部分ｂ６から切り取り線の第２の部分ｂ２が開始している。この第２の部分ｂ２は、第６の部分ｂ６の端から、右側板１６を斜め方向に横切って、右側板１６の上端部、すなわち、ブランクの端部に至るものである。そして、この第２の部分ｂ２は、天板１２を上にしてカートンを立てた場合、第１の部分ｂ１と同一高さで、しかも両者がねじれの関係になることなく平行になるように設けられている。この第２の部分ｂ１も、右側板１６を切断するジッパーの形態で設けられている。
【００３０】
次に、仕切り２を構成するブランクについて説明する。この仕切り用ブランクの展開図は図２に示されている。
【００３１】
この図から分かるように、仕切り用ブランクの主要部は、略三角形状の左仕切り片２１と右仕切り片２２とを、折り曲げ線ａ６で連接して構成されている。この左仕切り片２１の形状及び右仕切り片２２の形状は、それぞれ、切り取り線から箱本体１を切断して上部分を除去したとき残存する左側板１５及び右側板１６の形状と略同一である。
【００３２】
また、この仕切り用ブランクは、左仕切り片２１及び右仕切り片２２のそれぞれに、折り曲げ線を介して、位置決め用紙片２１１，２１２及び２２１，２２２が設けられている。このため、このブランクを、折り曲げ線ａ６から二つ折りした後、これら位置決め用紙片２１１，２１２，２２１，２２２を外側に開くように折り曲げることにより仕切り２を形成することができる。なお、図から分かるように、位置決め用紙片２１１の幅ｔと位置決め用紙片２２１の幅との合計は、前板１４の幅ｄと同一である。また、同様に、位置決め用紙片２１２の幅と位置決め用紙片２２２の幅との合計も前板１４の幅ｄと同一である。
【００３３】
次に、これら箱本体用ブランク及び仕切り用ブランクを使用して組み立てられた本発明の輸送用兼展示用カートンについて説明する。図３はこの輸送用兼展示用カートンの斜視図である。
【００３４】
すなわち、まず箱本体用ブランクを折り曲げ線ａ１〜ａ３から折り曲げ、糊代１６１を後板１３の端部内側に接着することにより、角筒状の胴部を形成する。次に、底部形成用片１１１，１１２，１１３，１１４を互いに噛み合わせて底部１１を形成する。他方、仕切り用ブランクを折り曲げ線ａ６から二つ折りし、位置決め用紙片２１１，２１２，２２１，２２２を外側に開くように折り曲げて仕切り２を形成する。そして、この仕切り２を
輸送用兼展示用カートンの開口部から挿入し、位置決め用紙片２１１，２１２，２２１，２２２を、左側板１５および右側板１６の内面に当接することにより、二つ折りされた左仕切り片２１及び右仕切り片２２を左側板１５と右側板１６との中央位置に位置決めする。この後、商品を収納し、天板１２の差し込み片１２１を差し込むことにより、商品入りの輸送用兼展示用カートンを形成することができる。
【００３５】
なお、説明の便のため、図３においては天板１２を図面上方向に図示したが、左側板１５又は右側板１６が上を向くように載置して、これら輸送用兼展示用カートンを積み重ねることも可能である。
【００３６】
次に、図４を参照して、この輸送用兼展示用カートンを使用して展示する方法を説明する。すなわち、まず前記切り取り線から箱本体１を切断し、その上部分を除去する。前述のように仕切り２の左仕切り片２１及び右仕切り片２２は残存する左側板１５及び右側板１６の形状と略同一であるから、仕切り２の上端を構成する線は、残存する左側板１５及び右側板１６の上端を示す線と同一高さで、かつ、ねじれの関係になることなく平行である。
【００３７】
そして、次に、円錐形状の商品Ａを、その円錐の頂点が奥に向くようにこの輸送用兼展示用カートンに挿入することにより、これら円錐状商品Ａを展示することができる。このとき、多数の円錐状商品Ａを積み重ねて挿入することによって、これら円錐状商品Ａがその円形の底面を顧客側に向けて配置され、かつ、展示されることになる。
【符号の説明】
【００３８】
１；箱本体  １１；底部  １２；天板  １３  後板  １４；前板  １５；左側板  １６；右側板  ２；仕切り  ２１；左仕切り片  ２２；右仕切り片
ａ１〜ａ６；折り曲げ線  ｂ１〜ｂ７；切り取り線    Ａ      商品
【図１】
0005621307.tif 000002
【図２】
0005621307.tif 000003
【図３】
0005621307.tif 000004
【図４】
0005621307.tif 000005